(57)【特許請求の範囲】
【請求項１】
エレベータの昇降路内に折り畳み式の作業台を設けたものにおいて、
前記作業台は、作業者が作業を行う作業部と、第１及び第２の梯子部を有し、前記作業部の一側は昇降路壁側に枢着され、前記第１の梯子部の一側は前記作業部の他側に枢着され、前記第１の梯子部の他側は前記第２の梯子部の一側に長穴を介して枢着され、作業台の折り畳み時及び組立時には、前記第２の梯子部は前記第１の梯子部に対して回転不可能でスライド可能となるように構成されていることを特徴とするエレベータの作業台。
【請求項２】
前記第２の梯子部の他側にはスタンドを設けていることを特徴とする請求項１記載のエレベータの作業台。
【請求項３】
前記スタンドは複数設けられており、それぞれのスタンドは第２の梯子部の長さ方向にその突出量が調整可能になっていることを特徴とする請求項１又は２記載のエレベータの作業台。
【請求項４】
前記作業部は、制御盤等を支持する支持部を介して昇降路壁側に枢着されていることを特徴とする請求項１乃至３の何れかに記載のエレベータの作業台。
【請求項５】
前記作業部は作業台の組立時に水平状態を保つ板状の作業面を備え、この作業面には孔が設けられ、作業台の組立時に前記第１の梯子部の一部が前記孔を通って前記作業面の上へ突出するように構成されたことを特徴とする請求項１乃至４の何れかに記載のエレベータの作業台。
【発明の詳細な説明】
【０００１】
【発明の属する技術分野】
本発明は、エレベータの昇降路内に設置された制御盤のメンテナンス等を行うための作業台に関するものである。
【０００２】
【従来の技術】
昇降路内の比較的低い位置、例えば最下階床面高さに制御盤等が設置されたエレベータにおいては、ピットから制御盤等をメンテナンスするケースがあり、このときはピットに脚立を立てて制御盤等のメンテナンスを行うことが多かった。
【０００３】
【発明が解決しようとする課題】
しかしながら、昇降路内には脚立を収納するスペースがないことが多いので、メンテナンスの度に脚立を持ってこなくてはならないという問題があった。また、脚立は作業員が乗る作業スペースが小さいため、作業が行いにくく危険も伴うという問題もあった。
【０００４】
【課題を解決するための手段】
本発明は、昇降路内に設置された制御盤等の下に、作業部と第１及び第２の梯子部を備えた折り畳み式の作業台を設置したものである。
【０００５】
【発明の実施の形態】
本発明の実施の形態を図１〜図７により説明する。図１は全体を示す側面図、図２は図１の下半部の拡大図、図３は図２を左から見た正面図、図４〜図７は動作状態を説明する図である。
【０００６】
図において、１は昇降路壁２の最下階床付近に設置された制御盤、３は制御盤１の下方の昇降路壁に設けられた支持部で、一対の断面Ｚ型のチャンネル３ａ，３ｂを縦に配し、複数のプレート４で連結固定した形状をなし、断面Ｌ型のアングル５ａ，５ｂによって制御盤１の下端を支持している。６は支持部３に固定されたスイッチ部で断面コ字形のチャンネルの内部にスイッチを設けた構成である。
【０００７】
１０は一端側がボルトナットからなる軸１１ａ，１１ｂによって支持部３に枢着された作業部で、他側には一対の軸１２ａ，１２ｂを備えるとともに、後述の第１梯子部の縦材２１ａ，２１ｂが通過可能な孔１３ａ，１３ｂが空けられ、更に断面Ｚ型のアングル１４ａ，１４ｂが端部に固定され、また補強材としての断面Ｌ型のアングル１４ｃが適所に固定された板１５を主構成要素としている。またその側面には任意数のボルト１６が設けられている。
【０００８】
２０は一対の左右の縦材２１ａ，２１ｂの要部をアングル２２、プレート２３，２４で固定した形状をなす第１梯子部で、縦材２１ａ，２１ｂの一側に設けた長穴２０ａ，２０ｂを介して、前記軸１２ａ，１２ｂによって作業部１０に枢着されている。
【０００９】
３０は一対の左右の縦材３１ａ，３１ｂの要部をプレート３２，アングル３３などで固定した形状をなす第２梯子部で、縦材３１ａ，３１ｂの一側に設けた長穴３０ａ，３０ｂを介して、軸３４ａ，３４ｂによって第１梯子部２０に枢着されている。また、縦材３１ａ，３１ｂの他側のアングル３３には、ボルトナットからなり突出量が調整可能な一対のスタンド３５ａ，３５ｂが設けられている。４０は蝶ボルトで、作業部１０の端部に固定されたアングル１４ａ，１４ｂをスイッチ部６に連結するとともに、スイッチ部６に内臓されたスイッチを作動させるものである。５０はピット床である。
【００１０】
次に本実施形態の動作について説明すると、折り畳んだときは、図１〜図４に示す状態にある。このときスイッチ部６内のスイッチが入っているため、エレベータは通常の運転が可能である。また自重により第２梯子部３０は下がった位置にあるため、縦材３１ａ，３１ｂの軸３４ａ，３４ｂを中心とした回転は、プレート２３，２４によって阻止されている。そのため、第２梯子部３０はほぼ直立した状態を保っている。
【００１１】
制御盤１のメンテナンスをするときには、まず蝶ボルト４０を外す。これにより、スイッチ部６内のスイッチが切れ、エレベータは運転停止状態になる。
次に、第１梯子部２０の下端を持ち、軸１１ａ，１１ｂを中心に全体が回転するように持ち上げながら、第２梯子部３０を上方にスライドさせる（図４▲１▼，▲２▼）。これによって第２梯子部３０は軸３４ａ，３４ｂを中心に回転可能になるため、スタンド３５ａ，３５ｂ側をピット床５０に下ろす（図４▲３▼）。
【００１２】
そして、作業部１０を持ち上げながら、軸１２ａ，１２ｂを中心に第１梯子部２０を回転させて（図５▲４▼，▲５▼）、その上部を作業部１０の孔１３ａ，１３ｂに差し込む（図６▲６▼）。更に第２梯子部３０を回転させて第１梯子部２０の上部が孔１３ａ，１３ｂから突出するようにする（図６▲７▼，図７▲８▼）。次にスタンド３５ａ，３５ｂのボルトにて作業部１０が水平になるよう調整する。
上記のようにして作業台の組立が完了し、作業員は第１，第２梯子部のプレート２３，２４，３２を踏板として使って作業部１０へ昇降することができる。また作業台を折り畳むときは上記の逆の手順になる。
【００１３】
本実施形態によれば、メンテナンスの度に脚立を持ってくる必要がなく、また脚立に比べて作業スペースが広く、更に折り畳み式で取り出し・収納が容易なため一人で作業することが可能である。
更に作業部１０のボルト１６には制御盤１の蓋などを吊り下げておくことができるため、メンテナンス作業がよりやりやすくなる。
【００１４】
本発明は前記の実施形態に限ることはなく、適宜変更して使用することができる。例えば、作業部１０やスイッチ部６は支持部３に取り付けているが、支持部３を介さずに昇降路壁２に取り付けてもよい。このようにすれば、支持部３の形状にかかわらず、本発明を使用することができる。
【００１５】
【発明の効果】
以上説明したように、本発明によれば、昇降路内に設置された制御盤などのメンテナンス作業が容易に行えることのできる作業台を実現することができる。
【図面の簡単な説明】
【図１】本発明の実施の形態を示す図である。
【図２】図１の下半部の拡大図である。
【図３】図２を左から見た正面図である。
【図４】本実施の形態の動作状態を説明する図である。
【図５】本実施の形態の動作状態を説明する図である。
【図６】本実施の形態の動作状態を説明する図である。
【図７】本実施の形態の動作状態を説明する図である。
【符号の説明】
１  制御盤
２  昇降路壁
３  支持部
１０  作業部
２０  第１梯子部
３０  第２梯子部
３５ａ，３５ｂ  スタンド
４０  蝶ボルト
【図１】
0003707383.tif 000002
【図２】
0003707383.tif 000003
【図３】
0003707383.tif 000004
【図４】
0003707383.tif 000005
【図５】
0003707383.tif 000006
【図６】
0003707383.tif 000007
【図７】
0003707383.tif 000008